(57)【要約】      （修正有）【課題】コンクリート表面または該コンクリート表面のクラック補修部分の防水性を簡便に確認するための吸水試験器を提供する。【解決手段】吸水試験器は、開口部、側壁および底部を有する本体部と、本体部と開口部で着脱可能に閉止可能な、中空状の固定部とを有する。本体部は、固定部と閉止していないとき、開口部の外側に一部が突出した吸水性スポンジを内部に備え、固定部は、コンクリート表面と接着するための接合部を有し、本体部と固定部とが閉止したとき、吸水性スポンジがコンクリート表面と接触して圧縮される。【選択図】図１
0003172498.tif 000002
【実用新案登録請求の範囲】
【請求項１】
コンクリート表面または該コンクリート表面のクラック補修部分の吸水性を確認するための吸水試験器であって、前記吸水試験器は、
開口部、側壁および底部を有する本体部と、
前記本体部と開口部で着脱可能に閉止可能な、中空状の固定部とを有し、
前記本体部は、前記固定部と閉止していないとき、前記開口部の外側に一部が突出した吸水性スポンジを内部に備え、
前記固定部は、コンクリート表面と接着するための接合部を有し、
前記本体部と前記固定部とが閉止したとき、前記吸水性スポンジが前記コンクリート表面と接触して圧縮される、吸水試験器。
【請求項２】
前記吸水性スポンジに接触し、前記側壁に密着する可動式仕切り部と、前記仕切り部と前記本体部の底部との間に伸縮性のバネを有する、請求項１記載の吸水試験器。
【請求項３】
実質的に水平に設置されたコンクリート面に懸垂して備えられる、請求項１または２記載の吸水試験器。
【請求項４】
前記吸水性スポンジが、ポリウレタンスポンジである、請求項１〜３のいずれか一項記載の吸水試験器。
【請求項５】
前記本体部内に水を充てんさせ、測定前後の重量の減少量からコンクリートの吸水性を測定する、請求項１〜４のいずれか一項記載の吸水試験器。
【考案の詳細な説明】
【技術分野】
【０００１】
本考案は、コンクリート表面または該コンクリート表面のクラック補修部分の吸水性を確認するための吸水試験器に関する。本考案は、特に、コンクリート表面などの防水性を高めるコンクリート改質処理において、当該処理の施工後、第三者によって当該施工がされたか否かを客観的に確認する方法において使用される吸水試験器に関する。
【背景技術】
【０００２】
コンクリートは本来、非常に耐久性が高く、耐用年数も５０年〜１００年と云われて来たが、劣化が予想以上に早い事が近年判明した。特に、凍結融解や塩害などによるコンクリートの劣化および複合劣化が原因となり、想定耐用年数まで持たない構造物の出現や構造物からのコンクリート片剥離による二次災害の発生が懸念される事態となり、劣化要因の原因究明と様々な対策が講じられてきた。具体的には、新設コンクリートを構成するセメントの組成変更や単位水量の低減、骨材の成分指定、既設コンクリートについては、劣化表面をポリマーセメントで被覆する工法、珪酸質系防水剤配合モルタルで被覆する工法、有機系樹脂やセメント系、水ガラス系材料による注入・浸透・被膜塗装工法などが提案されている。
【０００３】
また、新設および既設コンクリート構造物の表面に塗布するだけという比較的簡単な工法で、凍結融解や塩害による劣化やこれらによる複合劣化を防止または抑止し、且つ表面意匠を変化させないで、（打込み直後のコンクリート表面状況を保持する）コンクリート内部深くまで浸透し、高い耐久性を持つコンクリート改質剤として、リチウムシリケート水溶液に水酸化ナトリウムおよび水酸化カリウムなどの塩基性成分を配合したコンクリート改質剤が提案されている（特許文献１）。この結果、コンクリート表面の高い防水性が得られる。
【先行技術文献】
【特許文献】
【０００４】
【特許文献１】国際公開第２００５／０８２８１３号パンフレット
【考案の概要】
【考案が解決しようとする課題】
【０００５】
上記方法などのコンクリート改質処理後、その表面の状態の見た目は変化しないので、施工主は当該処理を施工したか否かを客観的に確かめる方法がなかった。また、コンクリート表面のクラックの補修工事が施されていたとしても、防水性が十分に発現されているか否かの性能試験を、簡便かつ安全に行う方法がなかった。そこで、本考案は、コンクリート表面または該コンクリート表面のクラック補修部分の防水性を簡便に確認するための吸水試験器を提供することを目的とする。
【課題を解決するための手段】
【０００６】
本考案は、以下の（１）〜（５）に関する。
（１）  コンクリート表面または該コンクリート表面のクラック補修部分の吸水性を確認するための吸水試験器であって、前記吸水試験器は、
開口部、側壁および底部を有する本体部と、
前記本体部と開口部で着脱可能に閉止可能な、中空状の固定部とを有し、
前記本体部は、前記固定部と閉止していないとき、前記開口部の外側に一部が突出した吸水性スポンジを内部に備え、
前記固定部は、コンクリート表面と接着するための接合部を有し、
前記本体部と前記固定部が閉止したとき、前記吸水性スポンジが前記コンクリート表面と接触して圧縮される、吸水試験器。
（２）  前記吸水性スポンジに接触し、前記側壁に密着する可動式仕切り部と、前記仕切り部と前記本体部の底部との間に伸縮性のバネを有する、前項（１）記載の吸水試験器。
（３）  実質的に水平に設置されたコンクリート面に懸垂して備えられる、前項（１）または（２）記載の吸水試験器。
（４）  前記吸水性スポンジが、ポリウレタンスポンジである、前項（１）〜（３）のいずれか一項記載の吸水試験器。
（５）  前記本体部内に水を充てんさせ、測定前後の重量の減少量からコンクリートの吸水性を測定する、前項（１）〜（４）のいずれか一項記載の吸水試験器。
【考案の効果】
【０００７】
本考案の吸水試験器を使用することで、固定部に本体部を閉止して、コンクリート表面に本体部の開口部から突出した吸水性スポンジが密着される。しばらく放置することで、コンクリート表面を介しての吸水量を、測定前後における水分減少量を基に測定でき、定量的な評価を簡便に行うことができる効果を奏する。
【０００８】
例えば本考案（２）においては、スポンジの下から伸縮性のバネによりさらなる圧着を図ることで、容器の水が減少した時であっても、スポンジからのコンクリートへの水の浸透を補うことにより、吸水量をより正確に測定することができる。
【０００９】
また、例えば本考案（３）においては、本考案の吸水試験器が地面に実質的に水平に位置するコンクリート面に懸垂するように位置することから、傾きがほとんどないので、コンクリート面と本考案の吸水試験器との隙間からの水漏れを防ぐことができ、より正確な吸水量を測定することができる。
【図面の簡単な説明】
【００１０】
【図１】本考案の吸水試験器の斜視図である。
【図２】本考案の第一形態にかかる吸水試験器の組立および使用方法の概略図である。
【図３】本考案の第二形態にかかる吸水試験器の組立および使用方法の概略図である。
【考案を実施するための形態】
【００１１】
本考案の吸水試験器は、コンクリート表面または該コンクリート表面のクラック補修部分の吸水性を確認するために使用される。本考案の詳細を、図を用いて具体的に説明する。図１は、本考案の吸水試験器の斜視図である。
【００１２】
本考案の吸水試験器１は、本体部２と固定部３とを備える。本体部２は、開口部２１、側壁２２および底部２３を有する容器であり、内部に吸水性スポンジ２４を備える。本体部２は開口部２１に本体閉止部２５を有する。固定部３は中空状であって、本体閉止部２５と閉止するための固定部閉止部３１を有する。また、固定部３は固定部閉止部３１の周囲にコンクリート表面と接着するための接合部３２を有する。なお、ここでは固定部３の開閉部３１と接合部３２が一体となっているが、別々の部材の組合せであってもよい。
【００１３】
本体部２の底部２３から見た形状は特に限定されないが、例えば、断面が円形状、楕円形状、矩形形状、多角形形状などであることが好ましい。
【００１４】
本体部２の材料は水漏れしない固形材料であれば特に限定されないが、市販のガラス、プラスチック、金属などが好ましい。また、本体部２は透明、半透明、不透明のいずれでもよいが、水の減少量を容易に視覚できることから、透明または半透明のものが好ましい。
【００１５】
開口部２１の形状は特に限定されず、本体部２が固定部３と着脱可能に閉止するものであればよく、物理的係合手段（ネジ回し形状、固定用フックなど）、磁気的接着手段（強力磁石など）などの公知の固定化手段を用いることができる。固定部３は、使用時において、コンクリート面に固定される。また、固定部３の開閉部３１は、本体部２の開口部２１と閉止するために、前記開口部２１に対応する公知の固定化手段を用いることができる。図２は一例を示し、開口部２１と開閉部３１が相互に閉止可能なネジ回し（スクリュー）形状となっている。
【００１６】
吸水性スポンジ２４のサイズについて、吸水性スポンジ２４の高さｈ１は、本体部２の高さｈ２よりも高さが高い。より好ましくは、本体部の高さの１．１〜１．８倍、より好ましくは１．２〜１．７倍、さらに好ましくは１．２５〜１．６５倍の高さである。この高さを有することにより、吸水性スポンジが本体部に収容されたとき、吸水性スポンジの一部が本体部より突出する構成となる。吸水性スポンジ２４の断面積は、本体部２に収容されていない状態においては、本体部の断面積よりも大きく、本体部２に収容されたときに本体部２の側碧２２に密着するようになることが好ましい。特に限定されないが、吸水性スポンジ２４の断面積は、本体部２の底部２３の面積の１．１０〜１．５０倍程度が好ましく、より好ましくは１．１５〜１．３０倍程度である。吸水性スポンジの断面の形状は特に限定されないが、円形、矩形、楕円形などが好ましく、安価に入手できるものとして矩形のものがより好適に用いられる。
【００１７】
さらに固定部３における閉止部３１の周囲には、固定部３がコンクリート表面に密着できるように形成された接合部３２を有する。接合部３２の形状は特に限定されないが、矩形状、円形状、楕円形状などの板状部材であって、略中心部が中空状であることが好適である。このような形状であることによって、接着剤を用いて貼り付けることによって、コンクリート表面に液密に密着させることが可能となるため作業性が向上する。十分な接着性を付与するため、中空部から接合部外縁までの幅は２〜１５ｃｍ以上であることが好ましく、より好ましくは３〜１２ｃｍ以上である。
【００１８】
図２は、本考案の第一形態にかかる吸水試験器の組み立ておよびその使用方法の概略を示す。まず、吸水性スポンジ２４を本体部２の中に入れる。吸水性スポンジ２４は底面２３に接するように押し込まれ、側壁２２にも密着する。吸水性スポンジ２４の一部は本体部の開口部２１より一部突出している。吸水量の測定のため、本体部２内に水を充てんする。水の充てん量は、以下で本体部２を固定部３に閉止した際にこぼれない程度の量であればよい。
【００１９】
一方、固定部３をコンクリートＣの表面へ接合する。固定部３のコンクリートＣの表面への接合は、固定部３の接合部３２のうち閉止部３１とは反対側の面に、任意の防水接着剤Ａを貼り付けることによって行われる。閉止時には水を含むスポンジがコンクリート面に圧着することから、水の接着剤への浸透による接着力喪失や、水漏れを防ぐことができる。防水接着剤としては市販のものを用いることができ、特に限定されないが、液状、ペースト状、固体状など任意のものが用いられる。
【００２０】
続いて、吸水性スポンジ２４を収容した本体部２を固定部３に閉止する。吸水性スポンジ２４が開口部２１の外側に一部突出していることから、閉止時にコンクリートＣの表面に接触し、高さ方向に圧縮される。本体部２に水が充填されていることから、吸水性スポンジ２２は水を含んでおり、コンクリートＣの状態に応じて水が吸水試験器１からコンクリートＣへと移動する。
【００２１】
ここで、吸水性スポンジの材料は特に限定されないが、一般的なポリウレタン（ポリウレタン系）発泡スポンジであることが好ましい。吸水性スポンジは、非圧縮時に吸水し、圧縮時に水を排出する性質を有することから、本考案の吸水試験器の使用時においてはコンクリート表面に密着することで水を排出し、接触するコンクリート表面に水が移動する。
【００２２】
このように水が充てんされた状態で、求められる吸水性の程度に応じて設定された所定期間（１時間から１週間程度）コンクリート表面に密着したまま放置して吸水量を測定する。すなわち、測定前の重量と、測定後の重量を測定して、重量の減少量をコンクリートによる吸水量とすることができる。
【００２３】
また、その他の使用例として、コンクリートクラックの補修部分の吸水性を評価することも可能である。すなわち、コンクリートクラックの閉塞処理後のクラック補修部分のみにスリットを設けたテープをコンクリート表面に貼り付けて、当該テープの上から本考案にかかる吸水試験器を取り付けて、吸水試験を行う。このようにして使用することで、テープのスリット部分に位置するクラック補修部分の吸水性を評価することができる。なお、シリコンシーラントのような防水性を有するシール剤を併用してもよい。
【００２４】
本考案の吸水試験器は、実質的に水平に配置され、本体部の開口部が上向きに配置されることが好ましい。例えば、実質的に水平に設置された天井のコンクリート面に本考案の吸水試験器を懸垂するように設置して、吸水性を測定することができる。開口部が上向きに配置されることにより、簡易かつ正確にコンクリートの吸水性を測定することができる。また、実質的に水平とは、完全な水平に限らず、好ましくは最大±３０°、より好ましくは最大±２０°、さらに好ましくは±５°の傾斜角のコンクリート面であれば、斜めに傾けてもこぼれない程度の水の充てんを行うことによって、同様にコンクリートの吸水性を測定することができる。
【００２５】
図３は、本考案の第二形態を示す。ここでは、吸水性スポンジ２４の下部に可動式仕切り部２５およびバネ２６を備える。基本構成は第一形態と同じであるが、コンクリート面の吸水量が非常に多い場合、本体部の上部から水が奪われることで、吸水性スポンジ２４上部から水が減少し、その結果コンクリート表面への水の移動が十分でない可能性がある。それを補うべく、水の量が減った場合にスポンジの下からバネの力によって水を含んだ吸水性スポンジ２４を押し出し、コンクリートの吸水性を過小評価することなく、正確に測定することができる。可動式仕切り部２５は、硬質可動部２５１およびその周囲のゴム状リング２５２を有する。硬質可動部２５１は本体部２の断面積よりやや小さく、バネの押し出す力によって側壁に密着して可動する。硬質可動部２５１の材料は特に限定されず、ステンレス、プラスチック、ガラスなどの素材が好適に用いられる。ゴム状リング２５２の材料は市販で入手できる天然ゴム、合成ゴムのいずれでもよく、耐引っ張り性に優れたものが好ましい。硬質可動部２５１とゴム状リング２５２は市販の接着剤で相互に接着され、バネの力で硬質可動部が移動する際に、側壁２２と密着したままで上部にある吸水性スポンジ２４を押し上げることができる。
【産業上の利用可能性】
【００２６】
本考案の吸水試験器によれば、コンクリート表面または該コンクリート表面のクラック補修部分の防水性を簡便に確認することができる。
【符号の説明】
【００２７】
１：吸水試験器
２：本体部
２１：開口部
２２：側壁
２３：底部
２４：吸水性スポンジ
２５：可動式仕切り部
２５１：硬質可動部
２５２：ゴム状リング
２６：伸縮性バネ
３：固定部
３１：閉止部
３２：接合部
Ｃ：コンクリート
Ａ：接着材料
【図１】
0003172498.tif 000003
【図２】
0003172498.tif 000004
【図３】
0003172498.tif 000005